(57)【特許請求の範囲】
【請求項１】
受信中のデジタルテレビジョン放送の電波に対して所定の処理を施すことにより得られるトランスポートストリームから、所定の言語データを含むデータストリームを抽出する抽出部と、
第１の操作または第２の操作に応じた情報が表示部に表示されるように制御する制御部と
を有し、
上記制御部は、
上記言語データのヘッダ部分に記述される内容を解析することにより得られる推薦番組情報が、上記第１の操作に応じて上記表示部に表示されるように制御し、
上記言語データの本文に記述される内容を解析することにより得られる所定の情報が、上記第２の操作に応じて上記表示部に表示されるように制御し、
上記推薦番組情報に対応する番組の録画予約が可能とされる
情報処理装置。
【請求項２】
所定のチャンネルを選局する選局操作に応じて上記デジタルテレビジョン放送の電波を受信し、上記受信した電波に対して上記所定の処理を施すことにより上記トランスポートストリームを得、該トランスポートストリームを上記抽出部に出力する受信処理部を有する請求項１に記載の情報処理装置。
【請求項３】
上記言語データのヘッダ部分に記述される内容を解析することにより、複数の放送事業者毎の上記推薦番組情報が得られ、 上記言語データの本文に記述される内容を解析することにより、上記チャンネルの放送事業者により制作された前記所定の情報が得られる請求項２に記載の情報処理装置。
【請求項４】
上記所定の言語データは、ＢＭＬ(Broadcast Mark-up Language)データである請求項１乃至３のいずれかに記載の情報処理装置。
【請求項５】
上記第１の操作は、上記推薦番組情報を表示させるための第１のキーを押すことによりなされ、
上記第２の操作は、データ放送の内容を表示するための、上記第１のキーとは異なる第２のキーを押すことによりなされる請求項１乃至４のいずれかに記載の情報処理装置。
【請求項６】
上記推薦番組情報は、番組名、放送日時および番組を特定するためのＩＤを含む請求項１乃至５のいずれかに記載の情報処理装置。
【請求項７】
受信中のデジタルテレビジョン放送の電波に対して所定の処理を施すことにより得られるトランスポートストリームから、所定の言語データを含むデータストリームを抽出し、
上記言語データのヘッダ部分に記述される内容を解析することにより得られる推薦番組情報が、第１の操作に応じて表示部に表示されるように制御し、
上記言語データの本文に記述される内容を解析することにより得られる所定の情報が、第２の操作に応じて上記表示部に表示されるように制御し、
上記推薦番組情報に対応する番組の録画予約が可能とされる
情報処理装置における録画予約処理方法。
【請求項８】
送信装置と情報処理装置とを含む情報処理システムであって、
上記送信装置は、
第１の操作に応じて表示される推薦番組情報がヘッダ部分に記述され、第２の操作に応じて表示される所定の情報が本文に記述された言語データを含むデータストリームを、他のストリームと多重化することによりトランスポートストリームを得、該トランスポートストリームを所定の変調方式により変調した変調信号をデジタルテレビジョン放送の電波として出力し、
上記情報処理装置は、
所定のチャンネルを選局する選局操作に応じて上記デジタルテレビジョン放送の電波を受信し、上記受信した電波に対して上記所定の処理を施すことにより上記トランスポートストリームを得、該トランスポートストリームを出力する受信処理部と、
上記受信処理部から供給される上記トランスポートストリームから、上記所定の言語データを含む上記データストリームを抽出する抽出部と、
第１の操作または第２の操作に応じた情報が表示部に表示されるように制御する制御部と
を有し、
上記制御部は、
上記言語データのヘッダ部分に記述される内容を解析することにより得られる推薦番組情報が、上記第１の操作に応じて上記表示部に表示されるように制御し、
上記言語データの本文に記述される内容を解析することにより得られる所定の情報が、上記第２の操作に応じて上記表示部に表示されるように制御し、
上記推薦番組情報に対応する番組の録画予約が可能とされる
情報処理システム。
【発明の詳細な説明】
【技術分野】
【０００１】
この発明は、ディジタルテレビジョン放送を受信可能な情報処理装置および録画予約処理方法、ならびに情報処理システムに関する。
【背景技術】
【０００２】
近年、衛星ディジタルテレビジョン放送や地上ディジタルテレビジョン放送などのディジタルテレビジョン放送を視聴可能なテレビジョン受像機などの機器が急速に普及している。ディジタルテレビジョン放送では、番組の付加情報などを提供するサービスとして、データ放送が行われている。
【０００３】
データ放送では、データが所定間隔で繰り返し伝送され、テレビジョン放送で現在放送中の番組にかかわらず、同一のデータ群を連続して常に送出する場合と、放送中の番組に連動してデータを切り替えて送出する場合とがある。
【０００４】
同一のデータ群を連続して送出する場合、データ放送では、番組との相関がないため、テレビジョン放送で現在放送中の番組にかかわらず、最新のニュースや天気予報、スポーツの試合経過、道路交通情報、放送事業者における推薦番組などの全体の情報が含まれたデータを送出することになる。例えば、図９Ａに示すように、テレビジョン放送において番組Ａおよび番組Ｂの間にＣＭ（Commercial Message）が放送される場合について考える。この場合、データ放送では、テレビジョン放送の番組にかかわらず、常に同一のデータが所定間隔で送出される。
【０００５】
一方、テレビジョン放送に連動してデータを送出する場合、データ放送では、番組の開始／終了のタイミングや、番組のコーナー、ＣＭのタイミングに合わせて、それぞれのテレビジョン放送の内容に関連した情報が含まれたデータを切り替えて送出する。例えば、図９Ｂに示すように、テレビジョン放送において番組Ｃが放送され、番組Ｃ内で番組紹介コーナーが放送される場合について考える。この場合、データ放送では、番組Ｃ内で番組紹介コーナーが始まるタイミングに合わせてデータ放送のデータも切り替わり、紹介されている番組の内容に関連するデータが送出される。
【０００６】
データ放送を視聴する場合には、例えば、テレビジョン受像機の操作部であるリモートコントロールコマンダーに設けられたデータ放送取得キーを押すことによって視聴することができる。例えば、下記の特許文献１には、データ放送を視聴することができる放送受信装置に関する技術が記載されている。
【０００７】
【特許文献１】特開２００３−１１６０７１号公報
【発明の開示】
【発明が解決しようとする課題】
【０００８】
ところで、上述のデータ放送では、近い将来放送される推薦番組を「おすすめ番組」などと記述し、番組内容を紹介する場合がある。このようなデータ放送のおすすめ番組紹介をユーザが視聴した際に、紹介された番組をその場で録画予約したい場合が想定される。
【０００９】
しかしながら、従来は、データ放送と機器に設けられた予約機能とが連動していないため、その場で録画予約を行おうとしても録画予約することができないという問題点があった。
【００１０】
おすすめ番組の録画予約を行う場合には、電子番組ガイドであるＥＰＧ（Electronic Program Guide）を利用することが考えられる。ＥＰＧでは、８日先までの番組に関する情報を表示することができ、ＥＰＧで表示された番組の中から所望の番組を選択することにより、選択された番組に対応する放送日時などが機器に設定され、自動的に録画予約を行うことができるようになっている。
【００１１】
ＥＰＧでは、番組やサービスの情報を記述したＳＩ（Service Information）情報と呼ばれる番組配列情報を用いてＥＰＧの表示画面を生成する。具体的には、例えば、各サービスに含まれる番組のタイトル、放送日時、内容の説明などの番組に関する情報が記述されたテーブルであるＥＩＴ（Event Information Table）や、チャンネル番号、チャンネル名が記述されたＳＤＴ（Service Description Table）を用いてＥＰＧの表示画面を生成する。
【００１２】
しかしながら、ＥＰＧを用いておすすめ番組の録画予約を行う場合、ユーザは、データ放送のおすすめ番組画面に表示されている放送日時や番組名などをメモしたり記憶したりし、ＥＰＧの予約画面に切り替え、おすすめ番組を検索して録画予約を行わなければならず、手間がかかってしまうという問題点があった。
【００１３】
また、ＥＰＧに用いられる配信データが８日分と規定されており、８日先までの番組しか自動的に予約することができない。そのため、おすすめ番組の放送予定日が９日目以降である場合には、ＥＰＧを利用して録画予約を行うこともできず、ユーザが録画日時をいちいち手動で入力する必要があり、手間がかかってしまうという問題点があった。
【００１４】
したがって、この発明の目的は、データ放送を利用して、おすすめ番組などの放送予定番組の録画予約をその場で行うことができる情報処理装置および録画予約処理方法、ならびに情報処理システムを提供することにある。
【課題を解決するための手段】
【００１５】
上述した課題を解決するために、第１の発明は、受信中のデジタルテレビジョン放送の電波に対して所定の処理を施すことにより得られるトランスポートストリームから、所定の言語データを含むデータストリームを抽出する抽出部と、第１の操作または第２の操作に応じた情報が表示部に表示されるように制御する制御部とを有し、制御部は、言語データのヘッダ部分に記述される内容を解析することにより得られる推薦番組情報が、第１の操作に応じて表示部に表示されるように制御し、言語データの本文に記述される内容を解析することにより得られる所定の情報が、第２の操作に応じて表示部に表示されるように制御し、推薦番組情報に対応する番組の録画予約が可能とされる情報処理装置である。
【００１６】
また、第２の発明は、受信中のデジタルテレビジョン放送の電波に対して所定の処理を施すことにより得られるトランスポートストリームから、所定の言語データを含むデータストリームを抽出し、言語データのヘッダ部分に記述される内容を解析することにより得られる推薦番組情報が、第１の操作に応じて表示部に表示されるように制御し、言語データの本文に記述される内容を解析することにより得られる所定の情報が、第２の操作に応じて表示部に表示されるように制御し、推薦番組情報に対応する番組の録画予約が可能とされる情報処理装置における録画予約処理方法である。
【００１７】
また、第３の発明は、送信装置と情報処理装置とを含む情報処理システムであって、送信装置は、第１の操作に応じて表示される推薦番組情報がヘッダ部分に記述され、第２の操作に応じて表示される所定の情報が本文に記述された言語データを含むデータストリームを、他のストリームと多重化することによりトランスポートストリームを得、該トランスポートストリームを所定の変調方式により変調した変調信号をデジタルテレビジョン放送の電波として出力し、情報処理装置は、所定のチャンネルを選局する選局操作に応じてデジタルテレビジョン放送の電波を受信し、受信した電波に対して所定の処理を施すことによりトランスポートストリームを得、該トランスポートストリームを出力する受信処理部と、受信処理部から供給されるトランスポートストリームから、所定の言語データを含むデータストリームを抽出する抽出部と、第１の操作または第２の操作に応じた情報が表示部に表示されるように制御する制御部とを有し、制御部は、言語データのヘッダ部分に記述される内容を解析することにより得られる推薦番組情報が、第１の操作に応じて表示部に表示されるように制御し、言語データの本文に記述される内容を解析することにより得られる所定の情報が、第２の操作に応じて表示部に表示されるように制御し、推薦番組情報に対応する番組の録画予約が可能とされる情報処理システムである。
【００１８】
上述したように、第１、第２および第３の発明では、ディジタルテレビジョン放送の電波から取得されるトランスポートストリームに含まれるデータストリームから、番組の付加情報を提供するデータ放送の所定形式のデータを取得し、所定形式のデータから推薦番組に関連した情報である推薦番組情報を抽出し、推薦番組情報に基づき推薦番組を示す画面を生成するようにしているため、操作部を操作することにより、推薦番組の画面に表示された推薦番組の録画予約がその場で行われる。
【発明の効果】
【００１９】
この発明は、データ放送のＢＭＬデータに記述された推薦番組情報を抽出し、抽出された推薦番組情報に基づき生成された推薦番組の画面に表示された推薦番組の録画予約を行うようにしているため、将来放送予定の推薦番組の録画予約をその場で行うことができるという効果がある。
【発明を実施するための最良の形態】
【００２０】
以下、この発明の実施の一形態について、図面を参照して説明する。この発明の実施の一形態では、データ放送として、ディジタルテレビジョン放送で現在放送中の番組にかかわらず、放送局として全体の情報が常に提供されている場合に、データ放送に含まれた推薦番組情報に基づき推薦番組のリスト画面を表示させ、録画予約を行うことができるようにした。
【００２１】
先ず、送信装置としての放送設備について概略的に説明する。放送設備では、例えば、地上ディジタルテレビジョン放送の場合、ＭＰＥＧ−２（Moving Picture Experts Group-2）方式により、映像、音声およびデータの圧縮符号化を行い、ビデオストリーム、オーディオストリーム、およびデータ放送の情報であるＢＭＬ（Broadcast Mark-up Language）データが含まれたデータストリームを生成する。そして、ＭＰＥＧ−２システムズ（MPEG-2 Systems）の規定に従い、ビデオストリーム、オーディオストリームおよびデータストリームを各チャンネル毎およびデータ種類毎にパケット化し、時分割で多重化してトランスポートストリーム（ＴＳ：Transport Stream）と呼ばれるパケット列を生成する。なお、ＢＭＬデータの詳細については、後述する。
【００２２】
トランスポートストリーム（以下、ＴＳと適宜称する）に対して、所定の変調方式を用いて変調処理が施されて送信される。変調方式としては、例えば、地上ディジタルテレビジョン放送の場合、衛星ディジタルテレビジョン放送と異なり、山やビルなどによる反射波を考慮する必要があるため、マルチパスによる妨害に強いＯＦＤＭ（Orthogonal Frequency Division Multiplex）変調方式が用いられる。
【００２３】
次に、この発明の実施の一形態による情報処理装置１の一例の構成について、図１を参照して説明する。この例では、データ放送として、テレビジョン放送で放送中の番組の内容にかかわらず局全体の情報が提供される場合について説明する。情報処理装置１は、チューナ部１１、デマルチプレクサ（Ｄｅｍｕｘ）１２、映像デコーダ１３、音声デコーダ１４、ＢＭＬブラウザ１５、ＥＰＧ（Electronic Program Guide）処理部１６、予約番組抽出部１７、予約処理部１８、ＥＰＧ画面生成部１９、ＧＵＩ（Graphical User Interface）表示部２０、表示部２１、音声出力部２２、制御部３０および操作部３１で構成されている。
【００２４】
情報処理装置１は、外部に接続されたアンテナ２により、図示されない放送設備から送出されたディジタルテレビジョン放送の電波を受信する。そして、受信したディジタルテレビジョンの電波をチューナ部１１に供給する。
【００２５】
チューナ部１１は、アンテナ２を介して供給されるディジタルテレビジョン放送の電波から所定の周波数の変調信号を選局する。そして、選局された変調信号に対して復調処理や誤り訂正処理などの所定の信号処理を施し、ＭＰＥＧ−２システムズに規定されるＴＳを出力する。復調処理としては、例えば地上ディジタルテレビジョン放送の場合、ＯＦＤＭ変調方式が用いられる。
【００２６】
デマルチプレクサ１２は、供給されたＴＳについて、ＴＳパケットのヘッダ部に格納された、それぞれのパケットを識別するためのＰＩＤ（Packet IDentification）の値に基づきフィルタリングを行い、多重されたＴＳの中からビデオストリームやオーディオストリーム、データストリームなどの必要なストリームを取り出す。そして、ビデオストリームを映像デコーダ１３に供給し、オーディオストリームを音声デコーダ１４に供給し、データストリームをＢＭＬブラウザ１５に供給する。また、デマルチプレクサ１２は、ＴＳから抽出された、ＳＩ（Service Information）情報と呼ばれる番組配列情報をＥＰＧ処理部１６に供給する。
【００２７】
映像デコーダ１３は、ビデオストリームに対して復号処理を施し、復号された映像データをＧＵＩ表示部２０に供給する。音声デコーダ１４は、オーディオストリームに対して復号処理を施し、復号された音声データを音声出力部２２に供給する。
【００２８】
ＢＭＬブラウザ１５は、データストリームからＢＭＬデータを取り出し、予約番組抽出部１７に供給する。また、ＢＭＬブラウザ１５は、データストリームから取り出したＢＭＬデータの構造を解析してデータ放送の画面データを生成し、ＧＵＩ表示部２０に供給する。
【００２９】
予約番組抽出部１７は、ＢＭＬブラウザ１５から供給されたＢＭＬデータのヘッダ部分に記述された推薦番組を示す情報であるおすすめ番組情報に基づき予約番組候補を示す情報を抽出し、予約処理部１８に供給する。
【００３０】
ＥＰＧ処理部１６は、デマルチプレクサ１２からＳＩ情報を受け取り、ＳＩ情報に含まれたＥＩＴやＳＤＴなどのＥＰＧに必要な情報を抽出し、ＥＰＧ画面生成部１９に供給する。また、ＥＰＧ処理部１６は、後述する制御部３０の制御に基づき、番組予約情報を予約処理部１８に供給する。ＥＰＧ画面生成部１９は、ＥＰＧ処理部１６から供給されたＥＩＴやＳＤＴなどの情報に基づきＥＰＧ画面データを生成し、ＧＵＩ表示部２０に供給する。
【００３１】
予約処理部１８は、予約番組抽出部１７から供給された予約番組候補を示す情報に基づきおすすめ番組リスト画面１００を生成し、おすすめ番組リスト画面１００のデータをＧＵＩ表示部２０に供給する。また、予約処理部１８は、後述する制御部３０による制御に基づき、おすすめ番組リスト画面１００で選択されたおすすめ番組に関する番組予約画面２００を生成し、番組予約画面２００のデータをＧＵＩ表示部２０に供給する。おすすめ番組リスト画面１００および番組予約画面２００の詳細については、後述する。さらに、予約処理部１８は、ＥＰＧ処理部１６から供給された番組予約情報に基づき、ＥＰＧ画面で選択された番組の録画予約を行うためのＥＰＧ予約画面を生成し、ＥＰＧ予約画面のデータをＧＵＩ表示部２０に供給する。
【００３２】
ＧＵＩ表示部２０は、映像デコーダ１３から供給された映像データと、ＢＭＬブラウザ１５から供給されたデータ放送の画面データと、予約処理部１８から供給されたおすすめ番組リスト画面１００のデータと、ＥＰＧ画面生成部１９から供給されたＥＰＧ画面データとのうち、後述する制御部３０の制御に基づき要求されたデータを選択したり、例えばＯＳＤ（On Screen Display）処理を行うことによって画面を合成し、表示部２１に表示させる。また、ＧＵＩ表示部２０は、予約処理部１８から供給された番組予約画面２００のデータやＥＰＧ予約画面のデータを表示部２１表示させる。表示部２５としては、例えば、ＬＣＤ（Liquid Crystal Display）やＰＤＰ（Plasma Display Panel）を用いることができる。
【００３３】
操作部３１は、例えば、情報処理装置１のパネルに設けられた操作部や、リモートコントロールコマンダが用いられる。リモートコントロールコマンダは、例えば、上下左右の方向を指示することができる十字キーや、決定キー、おすすめ番組の録画予約を行うためのおすすめ番組予約キーなどの情報処理装置１を操作するためのキーが設けられ、ユーザによる操作により、操作に応じた制御信号を生成する。
【００３４】
制御部３０は、図示しないＲＯＭ（Read Only Memory）に予め格納されたプログラムに従い、図示しないＲＡＭ（Random Access Memory）をワークメモリとして各部を制御する。制御部３０は、ユーザの操作部３１に対する操作に基づき、予約処理部１８におけるおすすめ番組リスト画面１００および番組予約画面２００の生成や、ＥＰＧ処理部１６におけるＥＰＧ予約画面の生成、ＧＵＩ表示部２０から出力される画面データなどを制御する。
【００３５】
ここで、ＢＭＬデータについて説明する。データ放送では、データ画面を生成する際にＢＭＬ言語を用いてＢＭＬデータを記述する。ＢＭＬ言語は、ＸＭＬ（eXtensive Mark-up Language）言語を基本とした、データ放送用に特化した言語である。この発明の実施の一形態では、番組予約用として特定の要素を新たに定義したＢＭＬデータを使用する。例えば、図２に示すように、所定の放送事業者において、放送中に提示されているデータ放送のＢＭＬデータのヘッダ部分に、放送事業者が推薦する番組に関する情報であるおすすめ番組情報を予め記述したＢＭＬデータを使用する。
【００３６】
図２に示すように、<head>および</head>のタグの間に記述された内容がＢＭＬデータのヘッダ部分であり、この発明の実施の一形態では、おすすめ番組情報が記述されている。また、<body>および</body>のタグの間には、ＢＭＬデータの本文が記述されており、画面への表示に用いられる。
【００３７】
<recommended_tv_prog_list>および</recommended_tv_prog_list>のタグに囲まれた部分の記述は、おすすめ番組情報であることを示し、<tv_prog>および</tv_prog>のタグに囲まれた部分毎に、それぞれのおすすめ番組情報が記述される。この例では、２つのおすすめ番組情報が記述されている。
【００３８】
おすすめ番組情報としては、例えば、おすすめ番組の番組名や放送日時、おすすめ番組を特定するためのＩＤ（IDentification）が記述されている。この例では、おすすめ番組の番組名が<title>および</title>のタグに囲まれた部分に記述され、放送日時が<date>および</date>のタグに囲まれた部分に記述されている。また、おすすめ番組を特定するためのＩＤが<es_ref>および</es_ref>のタグに囲まれた部分に記述されている。
【００３９】
おすすめ番組情報は、ヘッダ部分に記述されているため、データ放送の画面を生成する際に表示されることはなく、おすすめ番組を抽出する場合にのみ用いられる。
【００４０】
次に、この発明の実施の一形態による情報処理装置１の動作について説明する。ユーザが操作部３１を操作して所定のチャンネルが選局されることにより、選局されたチャンネルに対応する電波がチューナ部１１で受信され、復調処理などの所定の信号処理が施され、ＴＳが出力される。そして、デマルチプレクサ１２で、ＴＳからビデオストリーム、オーディオストリームおよびデータストリームが取り出される。取り出されたビデオストリームおよびオーディオストリームは、映像デコーダ１３および音声デコーダ１４でそれぞれデコードされ、所望の番組の映像および音声が表示部２１および音声出力部２２に出力される。
【００４１】
また、データストリームは、ＢＭＬブラウザ１５でデータストリームからＢＭＬデータが取り出される。そして、ＢＭＬデータのヘッダ部分に記述されたおすすめ番組情報に基づき、予約番組候補を示す情報が予約番組抽出部１７で抽出される。このとき、予約番組候補を示す情報は、選局されたチャンネルの放送事業者に対応するものだけでなく、全てのチャンネルの放送事業者に対応するものが抽出される。次に、抽出された予約番組候補を示す情報に基づき、予約処理部１８でおすすめ番組リスト画面１００が生成される。
【００４２】
番組を視聴している場合やＥＰＧを利用して録画予約する番組の検索を行っている場合などに、操作部３１のおすすめ番組予約キーが押されると、制御部３０の制御に基づき、予約処理部１８で生成されたおすすめ番組リスト画面１００がＧＵＩ表示部２０を介して表示部２１に表示される。
【００４３】
おすすめ番組リスト画面１００は、図３に示すように、例えば、放送事業者（放送局）と、それぞれの放送事業者毎のおすすめ番組リスト１０１が表示される。おすすめ番組リスト１０１には、例えば、所定の放送事業者におけるおすすめ番組の放送日時および番組名が一覧表示される。なお、おすすめ番組リスト画面１００は、一例であってこの例に限られない。例えば、全ての放送事業者のおすすめ番組をまとめて一覧表示するようにしてもよい。
【００４４】
このとき、操作部３１に設けられた左右キーで放送事業者を選択するとともに上下キーで録画予約したい番組を選択し、決定キーを押すことにより予約処理部１８で番組予約画面２００が生成され、表示部２１に表示される。
【００４５】
番組予約画面２００は、図４に示すように、番組情報２０１および設定情報２０２が表示される。番組情報２０１は、おすすめ番組リスト画面１００で選択されたおすすめ番組の番組名や放送日時、放送局などのおすすめ番組の詳細情報が表示される。設定情報２０２は、録画の際の記録先や毎回録画モード、自動延長モード、録画画質などの録画設定を示す情報が表示される。
【００４６】
また、番組予約画面２００には、選択されたおすすめ番組の録画予約を行う予約ボタン２０３と、録画予約を中止する中止ボタン２０４が設けられている。ユーザが操作部３１の左右キーを操作して、予約ボタン２０３および中止ボタン２０４のいずれか一方を選択し、決定キーを押すことにより、選択されたボタンに対応した処理が行われる。予約ボタン２０３を選択した場合には、設定情報２０２に表示された設定内容に従い、番組情報２０１に表示された番組に対応付けられたおすすめ番組情報に基づき、放送予定の番組の録画予約が行われる。一方、中止ボタン２０４を選択した場合には、録画予約が中止され、例えば、おすすめ番組リスト画面１００に遷移する。
【００４７】
なお、この例では、番組予約画面２００において設定情報２０２を表示するように説明したが、これはこの例に限られない。例えば、設定情報２０２に表示された録画設定の項目を選択できるようにし、選択された録画設定の内容を適宜変更できるようにしてもよい。
【００４８】
次に、この発明の実施の一形態による録画予約処理の流れについて、図５に示すフローチャートを参照して説明する。なお、特別な記載がない限り、以下の処理は、制御部３０の制御の下で行われるものとする。ステップＳ１において、ＢＭＬブラウザ１５でデータ放送のデータストリームに含まれるＢＭＬデータが取得される。
【００４９】
ステップＳ２では、予約番組抽出部１７でＢＭＬデータの構造を解析し、ＢＭＬデータのヘッダ部分に記述されたおすすめ番組情報を抽出できるか否かが判断される。ＢＭＬデータからおすすめ情報情報が抽出できると判断された場合には、処理がステップＳ３に移行し、予約番組抽出部１７で、ＢＭＬデータのヘッダ部分からおすすめ番組情報が抽出される。そして、処理がステップＳ１に戻る。
【００５０】
上述のステップＳ１からステップＳ３までの処理を各放送事業者毎に巡回的に行い、全ての放送事業者のデータ放送からおすすめ番組情報が抽出された場合には、ステップＳ２において、おすすめ番組情報が取得できないと判断し、処理がステップＳ４に移行する。
【００５１】
ステップＳ４では、ステップＳ３で抽出されたおすすめ番組情報に基づき、予約処理部１８でおすすめ番組リスト画面１００が生成され、ステップＳ５において、例えばユーザによって操作部３１に設けられたおすすめ番組予約キーが押されると、図３に示すおすすめ番組リスト画面１００が表示部２１に表示される。
【００５２】
ステップＳ６では、おすすめ番組リスト画面１００に表示されたおすすめ番組リスト１０１の中から所定のおすすめ番組が選択されたか否かが判断される。ユーザが操作部３１に設けられた十字キーを操作して所定のおすすめ番組を選択することにより、図４に示す番組予約画面２００が表示部２１に表示され、予約ボタン２０３を選択して決定キーを押した場合には、所定のおすすめ番組が選択されたと判断し、処理がステップＳ７に移行する。
【００５３】
ステップＳ７では、選択されたおすすめ番組の録画予約を行い、一連の処理が終了する。一方、ステップＳ６において、ユーザが中止ボタン２０４を選択し、おすすめ番組が選択されなかった場合には、おすすめ番組の録画予約を行わず、一連の処理が終了する。
【００５４】
このように、この発明の実施の一形態では、データ放送のＢＭＬデータのヘッダ部分に記述されたおすすめ番組情報に基づきおすすめ番組リスト画面を生成して表示するようにしているため、表示されたおすすめ番組のリストから所望の番組を選択することにより、将来放送予定のおすすめ番組の録画予約をその場で行うことができる。
【００５５】
また、この発明の実施の一形態では、放送事業者が提供するおすすめ番組情報に基づき録画予約を行うようにしているため、例えばＥＰＧを用いた場合のように、録画予約が可能な期間の制限を越えて録画予約を行うことができる。
【００５６】
次に、この発明の実施の一形態の変形例について説明する。テレビジョン放送では、将来放送予定の番組を紹介する番組やＣＭなどが放送されることがあり、このような番組やＣＭをユーザが視聴した際に、その場で放送予定の番組を録画予約したいと考えることが想定される。
【００５７】
そこで、この発明の実施の一形態の変形例では、データ放送として、ディジタルテレビジョン放送で現在放送中の番組内で特定の番組を紹介する番組やコーナー、特定の番組を紹介するＣＭなどが放送されている際に、データ放送に含まれた推薦番組情報に基づき、紹介されている番組の録画予約を行うことが可能であることを示す表示を表示させ、録画予約を行うことができるようにした。
【００５８】
この発明の実施の一形態の変形例による情報処理装置は、図１に示す上述の実施の一形態による情報処理装置１における予約処理部１８、ＧＵＩ表示部２０および制御部３０の動作以外は、同様の構成で実現可能である。したがって、ここでは、この実施の一形態と同様の部分については同一の符号を付し、予約処理部１８、ＧＵＩ表示部２０および制御部３０の動作以外については、説明を省略する。なお、この例では、データ放送として、テレビジョン放送で放送中の番組に連動して切り替わるデータが提供されている場合について説明する。
【００５９】
予約処理部１８は、予約番組抽出部１７から供給された予約番組候補を示す情報に基づき、予約可能提示画面３００を生成し、予約可能提示画面３００のデータをＧＵＩ表示部２０に供給する。また、予約処理部１８は、制御部３０による制御に基づき、おすすめ番組に関する番組予約画面４００を生成し、番組予約画面４００のデータＧＵＩ表示部２０に供給する。予約可能画面３００および番組予約画面４００の詳細については、後述する。
【００６０】
ＧＵＩ表示部２０は、制御部３０の制御に基づき、映像デコーダ１３から供給された映像データと予約処理部１８から供給された予約可能表示画面３００のデータとを例えばＯＳＤ処理によって合成し、表示部２１に表示させる。また、ＧＵＩ表示部２０は、制御部３０の制御に基づき、映像データと予約処理部１８から供給された番組予約画面４００のデータとをＯＳＤ処理によって合成し、表示部２１に表示させる。
【００６１】
制御部３０は、ユーザの操作部３１に対する操作に基づき、予約処理部１８における予約可能提示画面３００および番組予約画面４００の生成や、ＧＵＩ表示部２０から出力される画面データを制御する。
【００６２】
予約可能提示画面３００は、図６に示すように、おすすめ番組を紹介する番組やＣＭを視聴している間に、おすすめ番組の録画予約が可能であることを示す予約可能マーク３０１が画面の所定位置に表示される。予約可能マーク３０１は、番組の視聴の妨げとならないようにするため、例えば画面の四隅付近に表示すると好ましい。
【００６３】
このとき、例えば操作部３１に設けられたおすすめ番組予約キーを押すことにより、予約処理部１８で番組予約画面４００が生成され、表示部２１に表示される。
【００６４】
番組予約画面４００は、図７に示すように、番組情報４０１および設定情報４０２が表示される。番組情報４０１は、現在放送中の番組やＣＭで紹介されたおすすめ番組の番組名や放送日時、放送局などのおすすめ番組の詳細情報が表示される。設定情報４０２は、録画の際の記録先や毎回録画モード、自動延長モード、録画画質などの録画設定を示す情報が表示される。
【００６５】
また、番組予約画面４００には、おすすめ番組の録画予約を行う予約ボタン４０３と、録画予約を中止する中止ボタン４０４が設けられている。ユーザが操作部３１の上下キーを操作して、予約ボタン４０３および中止ボタン４０４のいずれか一方を選択し、決定キーを押すことにより、選択されたボタンに対応した処理が行われる。予約ボタン４０３を選択した場合には、設定情報４０２に表示された設定内容に従い、番組情報４０１に表示された番組に対応付けられたおすすめ番組情報に基づき、放送予定の番組の録画予約が行われる。一方、中止ボタン４０４を選択した場合には、録画予約が中止され、例えば、予約可能提示画面３００に遷移する。
【００６６】
なお、番組予約画面４００に表示される番組情報４０１や設定情報４０２などは、番組の視聴の妨げとならないようにするため、画面の上部や下部などに表示すると好ましい。
【００６７】
次に、この発明の実施の一形態の変形例による録画予約処理の流れについて、図８に示すフローチャートを参照して説明する。なお、特別な記載がない限り、以下の処理は、制御部３０の制御の下で行われるものとする。ステップＳ１１において、ＢＭＬブラウザ１５でデータ放送のデータストリームに含まれるＢＭＬデータが取得される。
【００６８】
ステップＳ１２では、予約番組抽出部１７でＢＭＬデータの構造を解析し、ＢＭＬデータのヘッダ部分に記述されたおすすめ番組情報を抽出できるか否かが判断される。ＢＭＬデータからおすすめ情報情報が抽出できると判断された場合には、処理がステップＳ１３に移行する。一方、ＢＭＬデータからおすすめ番組情報を抽出できないと判断された場合には、一連の処理が終了する。
【００６９】
ステップＳ１３では、予約番組抽出部１７で、ＢＭＬデータのヘッダ部分からおすすめ番組情報が抽出される。ステップＳ１４では、ステップＳ３で抽出されたおすすめ番組情報に基づき、予約処理部１８で、図６に示す予約可能提示画面３００が生成され、視聴中の番組の画面の所定位置に予約可能マーク３０１が表示される。ステップＳ１５において、例えばユーザによって操作部３１に設けられたおすすめ番組予約キーが押されると、ステップＳ１６において、図７に示すように、おすすめ番組に対する番組予約画面４００が表示部２１に表示される。そして、ユーザが操作部３１を操作して予約ボタン４０３を選択し、決定キーを押すことにより、選択されたおすすめ番組の録画予約を行い、一連の処理が終了する。
【００７０】
このように、この発明の実施の一形態の変形例では、おすすめ番組の紹介番組などをユーザが視聴している際に、おすすめ番組の録画予約が可能であることを画面に表示するようにしているため、番組内で紹介されているおすすめ番組の録画予約をその場で行うことができる。
【００７１】
以上、この発明の実施の一形態および実施の一形態の変形例について説明したが、この発明は、上述したこの発明の実施の一形態および実施の一形態の変形例に限定されるものではなく、この発明の要旨を逸脱しない範囲内で様々な変形や応用が可能である。例えば、上述の実施の一形態および実施の一形態の変形例では、ＢＭＬデータのヘッダ部分に記述されたおすすめ番組情報を用いて、将来放送予定の番組の録画予約を行うようにしている。
【００７２】
しかしながら、この発明の実施の一形態および実施の一形態の変形例で使用するＢＭＬデータには、そのヘッダ部分におすすめ番組情報が記述されている必要があり、このようなＢＭＬデータは、放送事業者側で予め準備しなければならない。そのため、例えば、ＢＭＬデータのヘッダ部分におすすめ番組情報が記述されていない場合には、おすすめ番組情報を抽出することができず、録画予約を行うことができない。
【００７３】
そこで、ＢＭＬデータのヘッダ部分におすすめ番組情報が記述されていない場合であっても、ＢＭＬデータの本文に記述された内容からおすすめ番組の情報を示す記述を抽出することにより、将来放送予定の番組の録画予約を行うことができるようにしてもよい。
【００７４】
具体的には、例えば、情報処理装置１に対して記憶部を新たに設け、おすすめ番組の情報を示すと考えられる「おすすめ」や「オススメ」、「推薦」などの所定のキーワードを予め記憶させておく。そして、ＢＭＬデータの記述に対して形態素解析などの処理を施し、ＢＭＬデータの本文と記憶部に記憶されたキーワードとを比較しておすすめ番組に関する記述の位置を特定し、おすすめ番組情報を抽出する。
【００７５】
こうすることにより、ＢＭＬデータのヘッダ部分におすすめ番組情報が記述されていない場合であっても、ＢＭＬデータからおすすめ番組情報を抽出し、おすすめ番組リスト画面１００や予約可能提示画面３００などの表示を生成し、おすすめ番組の録画予約を行うことができる。
【図面の簡単な説明】
【００７６】
【図１】この発明の実施の一形態による情報処理装置の一例の構成を示すブロック図である。
【図２】ＢＭＬデータにおける記述の一例を示す略線図である。
【図３】この発明の実施の一形態によるおすすめ番組リスト画面の一例を示す略線図である。
【図４】この発明の実施の一形態による番組予約画面の一例を示す略線図である。
【図５】この発明の実施の一形態による録画予約処理の流れを示すフローチャートである。
【図６】この発明の実施の一形態の変形例による予約可能提示画面の一例を示す略線図である。
【図７】この発明の実施の一形態の変形例による番組予約画面の一例を示す略線図である。
【図８】この発明の実施の一形態の変形例による録画予約処理の流れを示すフローチャートである。
【図９】データ放送におけるデータの伝送方法を説明するための略線図である。
【符号の説明】
【００７７】
１  情報処理装置
２  アンテナ
１１  チューナ部
１２  デマルチプレクサ
１３  映像デコーダ
１４  音声デコーダ
１５  ＢＭＬブラウザ
１６  ＥＰＧ処理部
１７  予約番組抽出部
１８  予約処理部
１９  ＥＰＧ表示生成部
２０  ＧＵＩ表示部
２１  表示部
２２  音声出力部
１００  おすすめ番組リスト画面
１０１  おすすめ番組リスト
２００  番組予約画面
３００  予約可能提示画面
３０１  予約可能マーク
４００  番組予約画面
【図１】
0005076671.tif 000002
【図２】
0005076671.tif 000003
【図３】
0005076671.tif 000004
【図４】
0005076671.tif 000005
【図５】
0005076671.tif 000006
【図６】
0005076671.tif 000007
【図７】
0005076671.tif 000008
【図８】
0005076671.tif 000009
【図９】
0005076671.tif 000010